(57)【要約】【課題】  従来の１灯式の照明灯にあっては、手元での無影効果はあるものの、ライト付近で医師やアシスタント等の施術者の頭部等が照明灯よりの光を遮ってしまうと照明装置としての効果が得られなくなる。そのため、施術者は、最適な照射視野を得るために、照明灯の位置調整操作を頻繁に行わなくてはならないといった問題があった。【解決手段】  天井に取付けられたガイドレール１と、該ガイドレールにスライド自在に取付けられ２つのトロリー２，３と、該トロリーの１つより垂下され所望の方向に照射可能なように取付けられたメインライト４と、前記他のトロリーに前記ガイドレールと直交するように取付けられたアーム３ａと、該アームの両端より垂下された２つのベースライト５，５′とから構成した歯科治療用照明装置である。【選択図】        図１
2008093216.tif 000002
【特許請求の範囲】
【請求項１】
天井に取付けられたガイドレールと、
該ガイドレールにスライド自在に取付けられ２つのトロリーと、
該トロリーの１つより垂下され所望の方向に照射可能なように取付けられたメインライトと、
前記他のトロリーに前記ガイドレールと直交するように取付けられたアームと、
該アームの両端より垂下された２つのベースライトとから構成し、
前記メインライトは患者の口元に対して斜め前方から、前記２つのベースライトは患者の口元に対して斜め左右上方から照射して無影効果が得られるようにしたことを特徴とする歯科治療用照明装置。
【請求項２】
前記メインライトと前記ベースライトの点灯／消灯および照度調整はリモートコントローラとタッチレススイッチ等の非接触スイッチによって、または、リモートコントローラと非接触スイッチの何れかによって行われることを特徴とする請求項１記載の歯科治療用照明装置。
【請求項３】
患者の口元に照射する前記メインライトの焦点距離に対して前記ベースライトの焦点距離はメインライトの約２倍の焦点距離に設定されていることを特徴とする請求項１記載の歯科診療用照明装置。
【請求項４】
前記メインライトおよびベースライトへ電源を供給し、および、ライトの点滅制御や照度調節を行うためのケーブルは、前記ガイドレール内において定荷重バネとプーリーとからなるケーブルテンショナー装置によってガイドレール内において弛みが発生しないようにし、かつ、互いのケーブルが干渉しないようにしたことを特徴とする請求項１記載の歯科診療用照明装置。
【発明の詳細な説明】
【技術分野】
【０００１】
本発明は、歯科用椅子に着座あるいは仰臥状態の患者の口元を照明する照明装置であって、患者の口元前方から照明するメインライトと、口元の略上方から照明する２つのベースライトとによって医師やアシスタントによって患者口元への光線によって遮光されないようにした歯科治療用照明装置に関する。
【背景技術】
【０００２】
従来における歯科治療にあって一灯式のライトを用いて口腔内、治療部位の照度を確保している技術が、例えば、実公昭５９−１８５６２号公報に開示されている。この技術は、天井に取付けられた案内通路にトロリーが移動自在に取付けられ、このトロリーに下端に局部照明灯が取付けられた吊杆を取付けたものである。そして、前記トロリーを移動して前記局部照明灯よりの光を患者の口元を照明するものである。また、インプラントを含めた外科処理を行う場合には、医科機器の手術用のオペライトを使用しているものもある。
【特許文献１】実公昭５９−１８５６２号公報
【発明の開示】
【発明が解決しようとする課題】
【０００３】
ところで、前記した従来例の１灯式の照明灯にあっては、手元での無影効果はあるものの、ライト付近で医師やアシスタント等の施術者の頭部等が照明灯よりの光を遮ってしまうと照明装置としての効果が得られなくなる。そのため、施術者は、最適な照射視野を得るために、照明灯の位置調整操作を頻繁に行わなくてはならないといった問題があった。
【０００４】
また、オペライトによる治療を行う場合にあっては、無影効果は得られるが、照明パターンが歯科用照明灯とは異なり、広範囲に明るく照らすために患者にとっては眩しすぎて、術布等で顔を覆うか患者に目を瞑らせて治療を行わなければならず、患者に対して不快感を与えるといった問題があった。
【０００５】
本発明は前記した問題点を解決せんとするもので、その目的とするところは、患者の顔面の斜め前方から口元を照明するメインライトと、患者の顔面の斜め左右上方から口元を照明する２つのベースライトとを天井にスライド自在に取付けることで、無影効果が得られると共に一度設定すると頻繁に前記３のライト位置を変更する必要がない歯科診療用照明装置を提供せんとするにある。
【課題を解決するための手段】
【０００６】
本発明の歯科治療用照明装置は前記した目的を達成せんとするもので、請求項１の手段は、天井に取付けられたガイドレールと、該ガイドレールにスライド自在に取付けられ２つのトロリーと、該トロリーの１つより垂下され所望の方向に照射可能なように取付けられたメインライトと、前記他のトロリーに前記ガイドレールと直交するように取付けられたアームと、該アームの両端より垂下された２つのベースライトとから構成し、前記メインライトは患者の口元に対して斜め前方から、前記２つのベースライトは患者の口元に対して斜め左右上方から照射して無影効果が得られるようにしたことを特徴とする。
【０００７】
請求項２の手段は、前記した請求項１の手段において、前記メインライトと前記ベースライトの点灯／消灯および照度調整はリモートコントローラとタッチレススイッチ等の非接触スイッチによって、または、リモートコントローラと非接触スイッチの何れかによって行われることを特徴とする。
【０００８】
請求項３の手段は、前記した請求項１の手段において、患者の口元に照射する前記メインライトの焦点距離に対して前記ベースライトの焦点距離はメインライトの約２倍の焦点距離に設定されていることを特徴とする。
【０００９】
請求項４の手段は、前記した請求項１の手段において、前記メインライトおよびベースライトへ電源を供給し、および、ライトの点灯／消灯制御や照度調節を行うためのケーブルは、前記ガイドレール内において定荷重バネとプーリーとからなるケーブルテンショナー装置によってガイドレール内において弛みが発生しないようにし、かつ、互いのケーブルが干渉しないようにしたことを特徴とする。
【発明の効果】
【００１０】
本発明は前記したように、１個のメインライトによって患者の口元に対して前方から照明し、また、２個のベースライトによって患者の口元に対して左右上方向から照明するようにしたので、無影効果が得られると共に一度設定すると頻繁に前記ライト位置を変更する必要がないものである。
【００１１】
また、メインライトとベースライトをリモートコントローラおよび／またはタッチレススイッチによって照明の点灯／消灯および照度調節を行うようにすることで、従来のようにライトに取付けられているスイッチを操作することなく行えるので、それらの操作を簡単に衛生的に行うことが可能となり、衛生性の高い治療に専念することができる。
【００１２】
さらに、患者の口元に照射する前記メインライトの焦点距離に対して前記ベースライトの焦点距離はメインライトの約２倍の焦点距離に設定することで、医師やアシスタント等の施術者の頭部等による干渉が起こり難く、無影効果を得やすいので、メインライトとベースライトによる口元の照度を高くでき、従って、治療時の明るさを十分に得ることができる。
【００１３】
また、メインライトおよびベースライトへ電源を供給およびライトの点灯／消灯制御や照度調節を行うケーブルをガイドレール内において、定荷重バネとプーリーとからなるケーブルテンショナー装置によってガイドレール内において弛みが発生しないようにしたので、前記メインライトおよびベースライトのための電源ケーブルが弛み、互いに干渉することにより、電源ケーブルが弛むことによるトローリの動きがケーブルによって停止したり動きを鈍くなったり、また、互いのケーブルが干渉することがない等の効果を有するものである。
【発明を実施するための最良の形態】
【００１４】
本発明は、患者の口元を前方から照明するメインライトと、口元を上方の左右方向から照明するベースライトを天井に対して移動自在としたものである。
【実施例１】
【００１５】
以下、本発明に係る歯科診療用照明装置を図面と共に説明する。
図１、図２は全体構造を示し、歯科治療椅子ａが設置されている天井ｂに後に詳述するスライドレール１が取付けられ、このスライドレール１に第１、第２のトローリ２，３がスライド自在に取付けられている。第１のトロリー２には公知の歯科用デンタルライトであるメインライト４が垂下状態で取付けられている。このメインライト４は少なくとも３つの関節部によって如何なる方向にも変位可能な垂下杆２ａとなっている。
【００１６】
第２のトロリー３には、前記ガイドレール１と直行する方向のアーム３ａが取付けられ、該アーム３ａの両端にはそれぞれベースライト５，５′が垂下状態で取付けられている。このベースライト５，５′も若干の回動と下降が可能なようにアーム３ａに対して取付けられている。なお、前記メインライト４およびベースライト５，５′には照射方向を手で持って変更するためのハンドルが設けられている。
【００１７】
次に、ガイドレール１に対するトロリー２，３の支持部分の詳細を図２、図３と共に説明する。
ガイドレール１は側面形状がコの字状に形成された取付部材１ａが天井に固定される。そして、この取付部材１ａの内側両側面にはガイド板１ｂが一体に形成されている。前記トロリー２（以下、トロリー３はトロリー２と同じ構成なので説明は省略する）は、取付部材１ａの開口部の幅より狭いコの字状に形成され、両端面にはローラ２ｃ，２ｄを取付けるための取付金具２ｂが一体的に形成されてる。そして、取付金具３ｃの両端には前記ガイド板１ｂを挟んで大ローラ２ｃと小ローラ２ｄが軸支されている。
【００１８】
従って、トロリー２はガイド板１ｂを挟んで取付られたローラ２ｃ，２ｄによってスムーズに移動可能となる。なお、トロリー２，３にはメインライト４やベースライト５を点灯させるための電源回路やライト４，５の照度を調節するための制御制御するための回路２ｅが組み込まれている。そして、回路２ｅには電源回路用の電源ケーブルや照度調節用の制御回路用の信号ケーブル等のケーブル６ａ（図５，６参照）がガイドレール２の一端に取付けられている制御ボックス６に接続されている。
【００１９】
このように構成したガイドレール１上を移動するトロリー２，３内にはケーブル  ６ａが接続されているので、トロリー２，３が移動することでケーブル６ａが引っ張られたり弛んだりする。そこで、このケーブル６ａの引っ張りや弛みを防止するためにガイドレール１内にテンショナー装置７を取付けた。以下、その構造を図５、図６と共に説明する。
【００２０】
ガイドレール１内に各トロリー２，３毎に取付けるものであり、一端がガイドレール１の内面に固定された定荷重バネ７ａと、ガイドレール１内において移動可能に取付けられ前記ケーブル６ａが巻架されたケーブルローラー７ｂと、該ケーブルローラー７ｂと一体的に移動すると共に前記定荷重バネ７ａの他端が巻かれたバネローラー７ｃとから構成されている。そして、前記ケーブルローラー７ｂに巻架されるケーブル６ａの一端は制御ボックス６の制御回路に接続され、他端はトローリ２または３を通じて各ライトに接続されている。図中の７ｄはトローリ２または３の移動およびバネローラー７ｃの移動を停止させるためのストッパーである。
【００２１】
このように構成されたテンショナー装置７にあっては、図６においてケーブル６ａの一端がメインライト４のトロリー２に接続され、他端が制御ボックス６に接続されている場合、トロリー２を左方向に移動したとすると該トロリー２に接続されている側のケーブル６ａが左方向に引っ張られる。そると、バネローラー７ｃに巻かれている定荷重パネ７ａが引き出されるが、バネ力によってケーブルローラー７ｂに対して右方向に引っ張る力が作用するのでケーブル６ａが弛むようなことはない。また、逆にトロリー２が右方向に移動するとバネローラー２ｃが回転して定荷重バネ７ａを巻き込みながら移動するので、ケーブル６ａを右方向に引っ張ることになるのでケーブル６ａが弛むようなことはない。
【００２２】
次に、患者の治療時におけるメインライト４とベースライト５，５′の照明位置について図１、図２と共に説明する。
患者が仰臥状態で治療を受ける場合には、メインライト４を仰臥している患者の口元の前方斜めの位置に移動し、かつ、ライトの角度を調整して患者の口元に対して前方の斜め上方から照明する。また、ベースライト５，５′を患者の顔面真上近くまで移動させ、患者の口元の両側斜め上方から照明する。このような照明位置によって医師やアシスタントの身体が治療時に前記照明光を遮るのを防止できる。
【００２３】
なお、メインライト４は患者の口元に近い位置に位置しているので、焦点距離は短いが、ベースライト５，５′は口元から離れた天井に近い位置からの照明となるので、ベースライト５，５′の焦点距離はメインライト４の約２倍とすることで、全てのライトからの合計照度が最も大きくなることが実験から判明した。
【００２４】
表１は上顎治療時と下顎治療時におけるメインライト４とベースライト５，５′の配置図を示したものである。なお、表１においてＧｒポジションにおける９時、１０時・・・・・３時は、患者と医師の配置を上方から見てどの位置にいるかを時計の短針位置で示したものであり、治療のし易い各ランプの点灯、消灯を示したものである。
【００２５】
次に、メインランプ４とベースランプ５，５′を点灯／消灯および照度制御を行うための回路ブロックと、該回路ブロックによる動作説明を行う。図７は回路ブロック図、図８はタッチレススイッチ（非接触スイッチ）による動作説明のフローチャート、図９はリモートコントローラによる動作説明のためのフローチャートである。
【００２６】
図７の回路ブロックにおいて、８１はタッチレススイッチ等の非接触スイッチや通常の接触型のスイッチ等のスイッチ、８２はリモートコントローラにして、点灯／消灯スイッチ、照度切換スイッチ、連動切換スイッチ、調光ＵＰスイッチ、調光ＤＯＷＮスイッチ等の各種の押しボタン式のスイッチが装備されている。８３は後述する図８および図９に示すフローチャートの動作を行うマイコン信号処理回路、８４は出力調整回路にして、トランスのタップ切換による電圧切換回路８４ａ、スイッチング電源等による電圧制御回路８４ｂ、リレーによるメインライト４とベースライト５との連動／非連動切換回路８４ｃ等を行うものである。なお、リモートコントローラよりの信号、例えば、赤外線は制御ボックス６内に設けられている受信機で受信し、また、非接触スイッチとしての光学式スイッチも制御ボックス６内に設けられており、手などによって光を反射させ、あるいは遮ることでスイッチとしての動作を行うものである。
【００２７】
次に、前記した回路ブロックによる動作を図８と共に説明する。図８はタッチレススイッチ等の非接触スイッチや通常の接触型のスイッチ等のスイッチ（ステップＳ１）による動作であり、前記処理回路８３は前記スイッチが操作（非接触スイッチの場合には手をかざしたか否か、また、接触スイッチの場合には押したか否か）されたか否かを監視し（ステップＳ２）、操作されたと判断した場合には、前記操作が予め設定された一定時間以上行われたか否かを監視する（ステップＳ３）。ここで、前記操作が一定時間以上操作されなかった場合には、ベースライト連動モードであるか否かの判断し（ステップＳ５）、連動中ではないと判断すくおメインライト４が消灯しているか否かを判断し、メインライト４が点灯していると判断し（ステップＳ５）、メインライト４が点灯していると判断するとメインライト４を消灯（ステップＳ６）して動作は終了する。
【００２８】
前記ステップＳ６においてメインランプ４が消灯していると判断するとメインランプ４を予め設定されている照度で点灯（ステップＳ７）して動作は終了する。また、前記ステップＳ４において、ベースライト５，５′連動モードであると判断すると、メインライト４が消灯しているか否かを判断し（ステップＳ８）、点灯していると判断するとメインライト４およびベースライト５，５′を消灯（ステップＳ９）して動作は終了する。前記ステップＳ８においてメインランプ４が消灯中であると判断すると、メインライト４とベースライト５，５′を点灯（ステップＳ１０）させて終了する。
【００２９】
前記したステップＳ３においてスイッチを一定時間以上操作したと判断した場合には、メインライト４がコンポジットモードであるか否かを判断し（ステップＳ）、コンポジットモードではないと判断すると、メインライト４はその状態を維持させ、ベースランプは消灯（ステップＳ１２）させて動作は終了する。一方、コンポジットモードであると判断すると、メインライト４はコンポジットモード以前の照度設定で点灯させ、ベースライト５，５′を現在の照度での点灯を維持（ステップＳ１３）させて動作は終了する。
【００３０】
次に、リモートコントロールによる制御を図９のフローチャートと共に説明する。
リモートコントロール（以下、単にリモコンという）による動作（ステップＳ２１）において、処理回路８３はリモコンに装備されているスイッチの１つである連動切換スイッチ８２が押されたか否かを監視し（ステップＳ２２）、連動切換スイッチ８２が押されていないと判断すると、次に、リモコンスイッチの１つである照度切換スイッチ８３が押されたか否かを監視し（スイッチ２３）、リモコンスイッチの１つである照度切換スイッチ８３が押されていないと判断した場合には、調光ＵＰスイッチ８２が押されたか否かを監視し（ステップＳ２４）、調光ＵＰスイッチ８２が押されていないと判断すると、リモコンスイッチの１つである調光ＤＯＷＮスイッチ８３が押されたか否かを監視し（ステップＳ２５）、調光ＤＯＷＮスイッチ８３が押されていないと判断すると全ての動作は終了する。
【００３１】
前記したステップＳ２５において、調光ＤＯＷＮスイッチ８３が押されたと判断すると、現在の照度設定での下限か否かの監視を行い（ステップＳ２６）、下限であると判断すると動作は終了し、下限でないと判断すると照度を減少（ステップＳ２７）させて動作は終了する。
【００３２】
また、前記したステップＳ２４において調光ＵＰスイッチが押された判断すると、現在の照度設定での上限か否かを監視し（ステップＳ２８）、上限であると判断すると動作は終了し、一方、上限でないと判断すると照度を増加させ（ステップＳ２９）させて動作は終了する。
【００３３】
さらに、前記したステップＳ２３の判断において、照度切換スイッチ８２が押されたと判断すると現在の照度設定と同じ照度切換スイッチ８２が押されたか否かを監視し（ステップＳ３０）、押されていないと判断すると押された照度設定に変更して点灯させる（ステップＳ３１）。また、前記したステップＳ２２において、連動切換ステップＳが押されたと判断すると、メインライト４とベースライト５，５′の連動モード中か否かを監視し（ステップＳ３２）、連動モード中でないと判断するとメインライト４とベースライト５，５′を連動モードに設定する（ステップＳ３３）。一方、連動モード中であると判断するとメインライト４とベースライト５，５′を非連動モードに設定して動作は終了する。
【図面の簡単な説明】
【００３４】
【図１】本発明に係る歯科治療用照明装置によって患者を照明する状態を示す側面図である。
【図２】同上の正面図である。
【図３】ガイドレールに対するトロリーの懸下状態を示す斜視図である。
【図４】同上の側面図である。
【図５】ケーブルテンショナー装置の斜視図である。
【図６】同上の一部拡大斜視図である。
【図７】メインライトとベースライトを制御するための回路ブロック図である。
【図８】同上の回路におけるスイッチ操作によって制御を行う動作を示すフローチャートである。
【図９】リモートコントロールによって制御を行う動作を示すフローチャートである。
【図１０】患者に対する医師の治療位置におけるランプの点灯状態を示す表である。
【符号の説明】
【００３５】
１          ガイドレール
２，３      トロリー
３ａ        アーム
４          メインライト
５          ベースライト
６          制御ボックス
７          ケーブルテンショナー
７ａ        定荷重バネ
７ｃ        ローラー
【図１】
2008093216.tif 000003
【図２】
2008093216.tif 000004
【図３】
2008093216.tif 000005
【図４】
2008093216.tif 000006
【図５】
2008093216.tif 000007
【図６】
2008093216.tif 000008
【図７】
2008093216.tif 000009
【図８】
2008093216.tif 000010
【図９】
2008093216.tif 000011
【図１０】
2008093216.tif 000012